(57)【要約】【課題】例えば、ネットワーク上で品物の売買を行う際に、ネットワークの匿名性を活かしながらも、品物の出品者や（購入）希望者が互いに安心して納得のいく売買を行いやすい仕組みを提供することを目的とする。【解決手段】品物の出品者が利用する出品者端末装置１００において、第１入力部１１１は映像及び音声を入力する。第１送信部１１２は第１入力部１１１により入力された映像及び音声を希望者が利用する希望者端末装置に送信する。第１受信部１１３は希望者端末装置から映像及び音声を受信する。第１出力部１１４は第１受信部１１３により受信された映像及び音声を出力する。合成部１１５は第１送信部１１２により送信された音声と第１受信部１１３により受信された音声とを合成する。転送部１１６は第１送信部１１２により送信された映像と合成部１１５により合成された音声とをストリーミングサーバ装置に転送する。【選択図】図２
2008033651.tif 000002
【特許請求の範囲】
【請求項１】
映像及び音声を入力装置により入力する第１入力部と、
前記第１入力部により入力された映像及び音声を他の端末装置に送信する第１送信部と、
前記他の端末装置により送信される映像及び音声を受信する第１受信部と、
前記第１受信部により受信された映像及び音声を出力装置により出力する第１出力部と、
前記第１送信部により送信された音声と前記第１受信部により受信された音声とを処理装置により合成する合成部と、
前記第１送信部により送信された映像と前記合成部により合成された音声とを、映像及び音声をストリーミング配信するストリーミングサーバ装置に転送する転送部とを有することを特徴とする端末装置。
【請求項２】
前記第１送信部は、前記第１入力部により入力された映像及び音声を他の複数の端末装置に送信し、
前記第１受信部は、前記複数の端末装置により送信される映像及び音声を受信し、
前記第１出力部は、前記第１受信部により受信された前記複数の端末装置の映像及び音声を出力装置により出力し、
前記合成部は、前記第１送信部により送信された音声と前記第１受信部により受信された前記複数の端末装置の音声とを合成することを特徴とする請求項１に記載の端末装置。
【請求項３】
前記端末装置は、前記他の端末装置と互いにＰ２Ｐ（ピアツーピア）接続して映像及び音声を送受信することを特徴とする請求項１に記載の端末装置。
【請求項４】
前記第１入力部は、品物の映像及び前記品物の出品者の音声を入力し、
前記第１受信部は、前記品物の希望者の映像及び前記希望者の音声を受信することを特徴とする請求項１に記載の端末装置。
【請求項５】
端末装置の第１入力部が、映像及び音声を入力装置により入力する第１入力ステップと、
前記端末装置の第１送信部が、前記第１入力ステップにより入力された映像及び音声を他の端末装置に送信する第１送信ステップと、
前記端末装置の第１受信部が、前記他の端末装置により送信される映像及び音声を受信する第１受信ステップと、
前記端末装置の第１出力部が、前記第１受信ステップにより受信された映像及び音声を出力装置により出力する第１出力ステップと、
前記端末装置の合成部が、前記第１送信ステップにより送信された音声と前記第１受信ステップにより受信された音声とを処理装置により合成する合成ステップと、
前記端末装置の転送部が、前記第１送信ステップにより送信された映像と前記合成ステップにより合成された音声とを、映像及び音声をストリーミング配信するストリーミングサーバ装置に転送する転送ステップとをコンピュータに実行させることを特徴とする通信プログラム。
【請求項６】
前記第１送信ステップは、前記端末装置の第１送信部が、前記第１入力ステップにより入力された映像及び音声を他の複数の端末装置に送信し、
前記第１受信ステップは、前記端末装置の第１受信部が、前記複数の端末装置により送信される映像及び音声を受信し、
前記第１出力ステップは、前記端末装置の第１出力部が、前記第１受信ステップにより受信された前記複数の端末装置の映像及び音声を出力装置により出力し、
前記合成ステップは、前記端末装置の合成部が、前記第１送信ステップにより送信された音声と前記第１受信ステップにより受信された前記複数の端末装置の音声とを合成することを特徴とする請求項５に記載の通信プログラム。
【請求項７】
前記通信プログラムは、前記端末装置と前記他の端末装置とを互いにＰ２Ｐ（ピアツーピア）接続させて映像及び音声を送受信することを特徴とする請求項５に記載の通信プログラム。
【請求項８】
前記第１入力ステップは、前記端末装置の第１入力部が、品物の映像及び前記品物の出品者の音声を入力し、
前記第１受信ステップは、前記端末装置の第１受信部が、前記品物の希望者の映像及び前記希望者の音声を受信することを特徴とする請求項５に記載の通信プログラム。
【請求項９】
映像及び音声を互いに送受信する第１端末装置と第２端末装置と、映像及び音声をストリーミング配信するストリーミングサーバ装置とを備える通信システムにおいて、
前記第１端末装置は、
映像及び音声を入力する第１入力部と、前記第１入力部により入力された映像及び音声を前記第２端末装置に送信する第１送信部と、前記第２端末装置により送信される映像及び音声を受信する第１受信部と、前記第１受信部により受信された映像及び音声を出力する第１出力部と、前記第１送信部により送信された音声と前記第１受信部により受信された音声とを合成する合成部と、前記第１送信部により送信された映像と前記合成部により合成された音声とを前記ストリーミングサーバ装置に転送する転送部とを有し、
前記第２端末装置は、
映像及び音声を入力する第２入力部と、前記第２入力部により入力された映像及び音声を前記第１端末装置の第１受信部に送信する第２送信部と、前記第１端末装置の第１送信部により送信された映像及び音声を受信する第２受信部と、前記第２受信部により受信された映像及び音声を出力する第２出力部とを有し、
前記ストリーミングサーバ装置は、
前記第１端末装置の転送部により転送された映像及び音声を受信するサーバ受信部と、前記サーバ受信部により受信された映像及び音声をストリーミング配信するサーバ配信部とを有することを特徴とする通信システム。
【請求項１０】
前記通信システムは、前記第１端末装置を複数備えるとともに、前記ストリーミングサーバ装置のサーバ配信部によりストリーミング配信されている映像及び音声を利用する第３端末装置を備え、
前記ストリーミングサーバ装置のサーバ配信部は、前記サーバ受信部により受信された各第１端末装置の映像及び音声を第１端末装置ごとに異なる複数のチャネル上でストリーミング配信し、
前記第３端末装置は、
前記複数のチャネルのうち、任意のチャネルを選択する選択部と、前記選択部により選択されたチャネル上で前記ストリーミングサーバ装置のサーバ配信部によりストリーミング配信されている映像及び音声を出力する第３出力部とを有することを特徴とする請求項９に記載の通信システム。
【請求項１１】
前記通信システムは、前記第２端末装置を複数備え、
複数の第２端末装置のうち、前記第１端末装置と接続している第２端末装置は、前記第１端末装置と互いに映像及び音声を送受信し、
前記複数の第２端末装置のうち、前記第１端末装置と接続していない第２端末装置は、前記ストリーミングサーバ装置のサーバ配信部によりストリーミング配信されている映像及び音声を利用することを特徴とする請求項９に記載の通信システム。
【請求項１２】
前記通信システムは、前記第２端末装置を複数備え、
前記第１端末装置の合成部は、前記第１送信部により送信された音声と前記第１受信部により受信された複数の第２端末装置の音声とを合成することを特徴とする請求項９に記載の通信システム。
【請求項１３】
前記第１端末装置と前記第２端末装置とは、互いにＰ２Ｐ（ピアツーピア）接続して映像及び音声を送受信することを特徴とする請求項９に記載の通信システム。
【請求項１４】
前記第１端末装置の第１入力部は、品物の映像及び前記品物の出品者の音声を入力し、
前記第２端末装置の第２入力部は、前記品物の希望者の映像及び前記希望者の音声を入力することを特徴とする請求項９に記載の通信システム。
【請求項１５】
映像及び音声の少なくともいずれかのデータを互いに送受信する第１端末装置と第２端末装置と、映像及び音声の少なくともいずれかのデータをストリーミング配信するストリーミングサーバ装置とを備える通信システムにおいて、
前記第１端末装置は、
映像及び音声の少なくともいずれかのデータを入力する第１入力部と、前記第１入力部により入力されたデータを前記第２端末装置に送信する第１送信部と、前記第２端末装置により送信される映像及び音声の少なくともいずれかのデータを受信する第１受信部と、前記第１受信部により受信されたデータを出力する第１出力部と、前記第１送信部により送信されたデータと前記第１受信部により受信されたデータとを前記ストリーミングサーバ装置に転送する転送部とを有し、
前記第２端末装置は、
映像及び音声の少なくともいずれかのデータを入力する第２入力部と、前記第２入力部により入力されたデータを前記第１端末装置の第１受信部に送信する第２送信部と、前記第１端末装置の第１送信部により送信されたデータを受信する第２受信部と、前記第２受信部により受信されたデータを出力する第２出力部とを有し、
前記ストリーミングサーバ装置は、
前記第１端末装置の転送部により転送されたデータを受信するサーバ受信部と、前記サーバ受信部により受信されたデータをストリーミング配信するサーバ配信部とを有することを特徴とする通信システム。
【請求項１６】
映像及び音声を互いに送受信する第１端末装置と第２端末装置と、映像及び音声をストリーミング配信するストリーミングサーバ装置とを備える通信システムを用いる通信方法において、
前記第１端末装置が、映像及び音声を入力する第１入力ステップと、
前記第１端末装置が、前記第１入力ステップにより入力された映像及び音声を前記第２端末装置に送信する第１送信ステップと、
前記第２端末装置が、前記第１送信ステップにより送信された映像及び音声を受信する第２受信ステップと、
前記第２端末装置が、前記第２受信ステップにより受信された映像及び音声を出力する第２出力ステップと、
前記第２端末装置が、映像及び音声を入力する第２入力ステップと、
前記第２端末装置が、前記第２入力ステップにより入力された映像及び音声を前記第１端末装置に送信する第２送信ステップと、
前記第１端末装置が、前記第２送信ステップにより送信された映像及び音声を受信する第１受信ステップと、
前記第１端末装置が、前記第１受信ステップにより受信された映像及び音声を出力する第１出力ステップと、
前記第１端末装置が、前記第１送信ステップにより送信された音声と前記第１受信ステップにより受信された音声とを合成する合成ステップと、
前記第１端末装置が、前記第１送信ステップにより送信された映像と前記合成ステップにより合成された音声とを前記ストリーミングサーバ装置に転送する転送ステップと、
前記ストリーミングサーバ装置が、前記転送ステップにより転送された映像及び音声を受信するサーバ受信ステップと、
前記ストリーミングサーバ装置が、前記サーバ受信ステップにより受信された映像及び音声をストリーミング配信するサーバ配信ステップとを備えることを特徴とする通信方法。
【請求項１７】
映像及び音声の少なくともいずれかのデータを互いに送受信する第１端末装置と第２端末装置と、映像及び音声の少なくともいずれかのデータをストリーミング配信するストリーミングサーバ装置とを備える通信システムを用いる通信方法において、
前記第１端末装置が、映像及び音声の少なくともいずれかのデータを入力する第１入力ステップと、
前記第１端末装置が、前記第１入力ステップにより入力されたデータを前記第２端末装置に送信する第１送信ステップと、
前記第２端末装置が、前記第１送信ステップにより送信されたデータを受信する第２受信ステップと、
前記第２端末装置が、前記第２受信ステップにより受信されたデータを出力する第２出力ステップと、
前記第２端末装置が、映像及び音声の少なくともいずれかのデータを入力する第２入力ステップと、
前記第２端末装置が、前記第２入力ステップにより入力されたデータを前記第１端末装置に送信する第２送信ステップと、
前記第１端末装置が、前記第２送信ステップにより送信されたデータを受信する第１受信ステップと、
前記第１端末装置が、前記第１受信ステップにより受信されたデータを出力する第１出力ステップと、
前記第１端末装置が、前記第１送信ステップにより送信されたデータと前記第１受信ステップにより受信されたデータとを前記ストリーミングサーバ装置に転送する転送ステップと、
前記ストリーミングサーバ装置が、前記転送ステップにより転送されたデータを受信するサーバ受信ステップと、
前記ストリーミングサーバ装置が、前記サーバ受信ステップにより受信されたデータをストリーミング配信するサーバ配信ステップとを備えることを特徴とする通信方法。
【発明の詳細な説明】
【技術分野】
【０００１】
本発明は、端末装置及び通信プログラム及び通信システム及び通信方法に関するものである。本発明は、特に、ネットワーク上で品物の売買などを行うための技術に関するものである。
【背景技術】
【０００２】
ネットワーク上で物品の売り買いを行うシステムとしては、インターネットショップや、インターネットオークションといったものが一般的に利用されている。また、生中継ストリーミング技術を利用し、リアルタイムにインターネットオークションを行う方法が公知である（例えば、特許文献１参照）。
【特許文献１】特開２００３−２９６６１０号公報
【発明の開示】
【発明が解決しようとする課題】
【０００３】
従来、インターネットを利用して、ある物品を入手したいと思うと、インターネットショップや、インターネットオークションを利用することができたが、これらで扱われる物品は商業的価値が認識されやすい物品であることが前提である。世の中には、捨てるには忍びない、もったいない物品があふれているが、これらの流通手段は皆無ではないにしろ、非常に少ないため、もったいないながらも廃棄される運命にある。従来のオークション、逆オークションなどの売り買いシステムでは、このような物品を売り買いするのには不便な点があった。また、インターネット上では、物品の売り買いを誰もが容易に、匿名で行えるという利点がある一方、物品を売った（送った）にもかかわらず代金が支払われなかったり、物品を買った（代金を支払った）にもかかわらず物品が届かなかったり、実際に物品が届いても期待していたものとはまったく違うものであったり、などとその匿名性ゆえに様々なトラブルも起こっている。従来の売り買いシステムでは、このように、インターネットの匿名性を活かしながらも、ユーザが安心して納得のいく物品の売り買いをすることができないという課題があった。
【０００４】
本発明は、例えば、ネットワーク上で品物の売買を行う際に、ネットワークの匿名性を活かしながらも、品物の出品者や（購入）希望者が互いに安心して納得のいく売買を行いやすい仕組みを提供することを目的とする。
【課題を解決するための手段】
【０００５】
本発明に係る端末装置は、
映像及び音声を入力装置により入力する第１入力部と、
前記第１入力部により入力された映像及び音声を他の端末装置に送信する第１送信部と、
前記他の端末装置により送信される映像及び音声を受信する第１受信部と、
前記第１受信部により受信された映像及び音声を出力装置により出力する第１出力部と、
前記第１送信部により送信された音声と前記第１受信部により受信された音声とを処理装置により合成する合成部と、
前記第１送信部により送信された映像と前記合成部により合成された音声とを、映像及び音声をストリーミング配信するストリーミングサーバ装置に転送する転送部とを有することを特徴とする。
【０００６】
前記第１送信部は、前記第１入力部により入力された映像及び音声を他の複数の端末装置に送信し、
前記第１受信部は、前記複数の端末装置により送信される映像及び音声を受信し、
前記第１出力部は、前記第１受信部により受信された前記複数の端末装置の映像及び音声を出力装置により出力し、
前記合成部は、前記第１送信部により送信された音声と前記第１受信部により受信された前記複数の端末装置の音声とを合成する。
【０００７】
前記端末装置は、前記他の端末装置と互いにＰ２Ｐ（ピアツーピア）接続して映像及び音声を送受信する。
【０００８】
前記第１入力部は、品物の映像及び前記品物の出品者の音声を入力し、
前記第１受信部は、前記品物の希望者の映像及び前記希望者の音声を受信する。
【０００９】
本発明に係る通信プログラムは、
端末装置の第１入力部が、映像及び音声を入力装置により入力する第１入力ステップと、
前記端末装置の第１送信部が、前記第１入力ステップにより入力された映像及び音声を他の端末装置に送信する第１送信ステップと、
前記端末装置の第１受信部が、前記他の端末装置により送信される映像及び音声を受信する第１受信ステップと、
前記端末装置の第１出力部が、前記第１受信ステップにより受信された映像及び音声を出力装置により出力する第１出力ステップと、
前記端末装置の合成部が、前記第１送信ステップにより送信された音声と前記第１受信ステップにより受信された音声とを処理装置により合成する合成ステップと、
前記端末装置の転送部が、前記第１送信ステップにより送信された映像と前記合成ステップにより合成された音声とを、映像及び音声をストリーミング配信するストリーミングサーバ装置に転送する転送ステップとをコンピュータに実行させる。
【００１０】
前記第１送信ステップは、前記端末装置の第１送信部が、前記第１入力ステップにより入力された映像及び音声を他の複数の端末装置に送信し、
前記第１受信ステップは、前記端末装置の第１受信部が、前記複数の端末装置により送信される映像及び音声を受信し、
前記第１出力ステップは、前記端末装置の第１出力部が、前記第１受信ステップにより受信された前記複数の端末装置の映像及び音声を出力装置により出力し、
前記合成ステップは、前記端末装置の合成部が、前記第１送信ステップにより送信された音声と前記第１受信ステップにより受信された前記複数の端末装置の音声とを合成する。
【００１１】
前記通信プログラムは、前記端末装置と前記他の端末装置とを互いにＰ２Ｐ（ピアツーピア）接続させて映像及び音声を送受信する。
【００１２】
前記第１入力ステップは、前記端末装置の第１入力部が、品物の映像及び前記品物の出品者の音声を入力し、
前記第１受信ステップは、前記端末装置の第１受信部が、前記品物の希望者の映像及び前記希望者の音声を受信する。
【００１３】
本発明に係る通信システムは、
映像及び音声を互いに送受信する第１端末装置と第２端末装置と、映像及び音声をストリーミング配信するストリーミングサーバ装置とを備える通信システムにおいて、
前記第１端末装置は、
映像及び音声を入力する第１入力部と、前記第１入力部により入力された映像及び音声を前記第２端末装置に送信する第１送信部と、前記第２端末装置により送信される映像及び音声を受信する第１受信部と、前記第１受信部により受信された映像及び音声を出力する第１出力部と、前記第１送信部により送信された音声と前記第１受信部により受信された音声とを合成する合成部と、前記第１送信部により送信された映像と前記合成部により合成された音声とを前記ストリーミングサーバ装置に転送する転送部とを有し、
前記第２端末装置は、
映像及び音声を入力する第２入力部と、前記第２入力部により入力された映像及び音声を前記第１端末装置の第１受信部に送信する第２送信部と、前記第１端末装置の第１送信部により送信された映像及び音声を受信する第２受信部と、前記第２受信部により受信された映像及び音声を出力する第２出力部とを有し、
前記ストリーミングサーバ装置は、
前記第１端末装置の転送部により転送された映像及び音声を受信するサーバ受信部と、前記サーバ受信部により受信された映像及び音声をストリーミング配信するサーバ配信部とを有することを特徴とする。
【００１４】
前記通信システムは、前記第１端末装置を複数備えるとともに、前記ストリーミングサーバ装置のサーバ配信部によりストリーミング配信されている映像及び音声を利用する第３端末装置を備え、
前記ストリーミングサーバ装置のサーバ配信部は、前記サーバ受信部により受信された各第１端末装置の映像及び音声を第１端末装置ごとに異なる複数のチャネル上でストリーミング配信し、
前記第３端末装置は、
前記複数のチャネルのうち、任意のチャネルを選択する選択部と、前記選択部により選択されたチャネル上で前記ストリーミングサーバ装置のサーバ配信部によりストリーミング配信されている映像及び音声を出力する第３出力部とを有する。
【００１５】
前記通信システムは、前記第２端末装置を複数備え、
複数の第２端末装置のうち、前記第１端末装置と接続している第２端末装置は、前記第１端末装置と互いに映像及び音声を送受信し、
前記複数の第２端末装置のうち、前記第１端末装置と接続していない第２端末装置は、前記ストリーミングサーバ装置のサーバ配信部によりストリーミング配信されている映像及び音声を利用する。
【００１６】
前記通信システムは、前記第２端末装置を複数備え、
前記第１端末装置の合成部は、前記第１送信部により送信された音声と前記第１受信部により受信された複数の第２端末装置の音声とを合成する。
【００１７】
前記第１端末装置と前記第２端末装置とは、互いにＰ２Ｐ（ピアツーピア）接続して映像及び音声を送受信する。
【００１８】
前記第１端末装置の第１入力部は、品物の映像及び前記品物の出品者の音声を入力し、
前記第２端末装置の第２入力部は、前記品物の希望者の映像及び前記希望者の音声を入力する。
【００１９】
また、本発明に係る通信システムは、
映像及び音声の少なくともいずれかのデータを互いに送受信する第１端末装置と第２端末装置と、映像及び音声の少なくともいずれかのデータをストリーミング配信するストリーミングサーバ装置とを備える通信システムにおいて、
前記第１端末装置は、
映像及び音声の少なくともいずれかのデータを入力する第１入力部と、前記第１入力部により入力されたデータを前記第２端末装置に送信する第１送信部と、前記第２端末装置により送信される映像及び音声の少なくともいずれかのデータを受信する第１受信部と、前記第１受信部により受信されたデータを出力する第１出力部と、前記第１送信部により送信されたデータと前記第１受信部により受信されたデータとを前記ストリーミングサーバ装置に転送する転送部とを有し、
前記第２端末装置は、
映像及び音声の少なくともいずれかのデータを入力する第２入力部と、前記第２入力部により入力されたデータを前記第１端末装置の第１受信部に送信する第２送信部と、前記第１端末装置の第１送信部により送信されたデータを受信する第２受信部と、前記第２受信部により受信されたデータを出力する第２出力部とを有し、
前記ストリーミングサーバ装置は、
前記第１端末装置の転送部により転送されたデータを受信するサーバ受信部と、前記サーバ受信部により受信されたデータをストリーミング配信するサーバ配信部とを有することを特徴とする。
【００２０】
本発明に係る通信方法は、
映像及び音声を互いに送受信する第１端末装置と第２端末装置と、映像及び音声をストリーミング配信するストリーミングサーバ装置とを備える通信システムを用いる通信方法において、
前記第１端末装置が、映像及び音声を入力する第１入力ステップと、
前記第１端末装置が、前記第１入力ステップにより入力された映像及び音声を前記第２端末装置に送信する第１送信ステップと、
前記第２端末装置が、前記第１送信ステップにより送信された映像及び音声を受信する第２受信ステップと、
前記第２端末装置が、前記第２受信ステップにより受信された映像及び音声を出力する第２出力ステップと、
前記第２端末装置が、映像及び音声を入力する第２入力ステップと、
前記第２端末装置が、前記第２入力ステップにより入力された映像及び音声を前記第１端末装置に送信する第２送信ステップと、
前記第１端末装置が、前記第２送信ステップにより送信された映像及び音声を受信する第１受信ステップと、
前記第１端末装置が、前記第１受信ステップにより受信された映像及び音声を出力する第１出力ステップと、
前記第１端末装置が、前記第１送信ステップにより送信された音声と前記第１受信ステップにより受信された音声とを合成する合成ステップと、
前記第１端末装置が、前記第１送信ステップにより送信された映像と前記合成ステップにより合成された音声とを前記ストリーミングサーバ装置に転送する転送ステップと、
前記ストリーミングサーバ装置が、前記転送ステップにより転送された映像及び音声を受信するサーバ受信ステップと、
前記ストリーミングサーバ装置が、前記サーバ受信ステップにより受信された映像及び音声をストリーミング配信するサーバ配信ステップとを備えることを特徴とする。
【００２１】
また、本発明に係る通信方法は、
映像及び音声の少なくともいずれかのデータを互いに送受信する第１端末装置と第２端末装置と、映像及び音声の少なくともいずれかのデータをストリーミング配信するストリーミングサーバ装置とを備える通信システムを用いる通信方法において、
前記第１端末装置が、映像及び音声の少なくともいずれかのデータを入力する第１入力ステップと、
前記第１端末装置が、前記第１入力ステップにより入力されたデータを前記第２端末装置に送信する第１送信ステップと、
前記第２端末装置が、前記第１送信ステップにより送信されたデータを受信する第２受信ステップと、
前記第２端末装置が、前記第２受信ステップにより受信されたデータを出力する第２出力ステップと、
前記第２端末装置が、映像及び音声の少なくともいずれかのデータを入力する第２入力ステップと、
前記第２端末装置が、前記第２入力ステップにより入力されたデータを前記第１端末装置に送信する第２送信ステップと、
前記第１端末装置が、前記第２送信ステップにより送信されたデータを受信する第１受信ステップと、
前記第１端末装置が、前記第１受信ステップにより受信されたデータを出力する第１出力ステップと、
前記第１端末装置が、前記第１送信ステップにより送信されたデータと前記第１受信ステップにより受信されたデータとを前記ストリーミングサーバ装置に転送する転送ステップと、
前記ストリーミングサーバ装置が、前記転送ステップにより転送されたデータを受信するサーバ受信ステップと、
前記ストリーミングサーバ装置が、前記サーバ受信ステップにより受信されたデータをストリーミング配信するサーバ配信ステップとを備えることを特徴とする。
【発明の効果】
【００２２】
本発明では、端末装置において、合成部が第１送信部により送信された音声と第１受信部により受信された音声とを合成し、転送部が第１送信部により送信された映像と合成部により合成された音声とをストリーミングサーバ装置に転送することにより、例えば、ネットワーク上で品物の売買を行う際に、ネットワークの匿名性を活かしながらも、品物の出品者や希望者が互いに安心して納得のいく売買を行いやすい仕組みを提供することが可能となる。
【発明を実施するための最良の形態】
【００２３】
以下、本発明の実施の形態について、図を用いて説明する。
【００２４】
実施の形態１．
図１は、本実施の形態における通信システム５００の構成を示す図である。
【００２５】
図１において、通信システム５００は、出品者端末装置１００ａ〜ｂ、希望者端末装置２００ａ〜ｃ、ストリーミングサーバ装置３００、ウェブサーバ装置４００を備える。出品者端末装置１００ａ〜ｂ、希望者端末装置２００ａ〜ｃは、例えば、ＰＣ（パーソナルコンピュータ）である。ストリーミングサーバ装置３００、ウェブサーバ装置４００は、例えば、サーバコンピュータであり、センター６００に設置される。出品者端末装置１００ａ、希望者端末装置２００ａ〜ｃ、ストリーミングサーバ装置３００、ウェブサーバ装置４００は、移動通信網、ＷＡＮ（ワイドエリアネットワーク）、ＬＡＮ（ローカルエリアネットワーク）、インターネットなどのネットワークを介して接続する。
【００２６】
例えば、インターネット上で品物の売買を行う際に、品物の出品者５０１ａ、ｂはそれぞれ出品者端末装置１００ａ、ｂを利用し、品物の希望者５０２ａ、ｂ、ｃはそれぞれ希望者端末装置２００ａ、ｂ、ｃを利用する。
【００２７】
図１の例では、ある品物の出品者５０１ａがその品物の希望者５０２ａとＩＰ（インターネットプロトコル）テレビ電話による双方向通信を行って交渉をしているものとする。そのために、出品者５０１ａが利用する出品者端末装置１００ａと希望者５０２ａが利用する希望者端末装置２００ａとは、Ｐ２Ｐ（ピアツーピア）接続を確立している。出品者端末装置１００ａは、そのＰ２Ｐ接続を介して、出品者５０１ａがウェブカメラなどにより撮影する品物や出品者５０１ａの顔の映像Ｖ１と、出品者５０１ａがヘッドセットなどにより品物に関する説明をしたり交渉したりする音声Ｓ１とを希望者端末装置２００ａに送信する。希望者端末装置２００ａは、映像Ｖ１と音声Ｓ１とを受信して再生する。また、希望者端末装置２００ａは、出品者端末装置１００ａと同様に、希望者５０２ａがウェブカメラなどにより撮影する希望者５０２ａの顔の映像Ｖ２と、希望者５０２ａがヘッドセットなどにより品物に関する質問をしたり交渉したりする音声Ｓ２とを出品者端末装置１００ａに送信する。出品者端末装置１００ａは、映像Ｖ２と音声Ｓ２とを受信して再生する。さらに、出品者端末装置１００ａは、自己が送信した音声Ｓ１と希望者端末装置２００ａから受信した音声Ｓ２とを合成し、出品者５０１ａと希望者５０２ａとの会話の音声Ｓ３とする。出品者端末装置１００ａは、自己が送信した映像Ｖ１と、合成した音声Ｓ３とをストリーミングサーバ装置３００に転送する。ストリーミングサーバ装置３００は、映像Ｖ１と音声Ｓ３とを受信し、予め出品者端末装置１００ａ用に設定したチャネル上で、受信した映像Ｖ１と音声Ｓ３とをストリーミング配信する。
【００２８】
図１の例では、ウェブサーバ装置４００がインターネット上にウェブページ（ウェブサイト）を公開しているものとする。このウェブページには、出品者５０１ａ〜ｂが出品中の品物の一覧や品物に関する情報（説明のテキストデータや写真）が掲載される。また、ストリーミングサーバ装置３００がストリーミング配信中又はストリーミング配信予定の複数のチャネル（例えば、出品者端末装置１００ａ、ｂそれぞれのために設定されたチャネル）の一覧や各チャネルへのアクセス手段（例えば、リンク）が掲載される。希望者５０２ｂ、ｃは、それぞれ希望者端末装置２００ｂ、ｃを利用して、そのウェブページにアクセスし、タッチパネルで品物の写真を選択することなどにより、品物に関する情報を閲覧したり、出品者５０１ａ〜ｂの出品者端末装置１００ａ〜ｂに交渉要求を送信したり、マウスでリンクをクリックすることなどにより、チャネルを選択してストリーミングサーバ装置３００がストリーミング配信中の映像及び音声を視聴することができる。例えば、希望者端末装置２００ｂが出品者端末装置１００ａ用に設定されたチャネルを選択した場合、希望者端末装置２００ｂは、選択したチャネル上で配信されている品物や出品者５０１ａの顔の映像Ｖ１と、出品者５０１ａと希望者５０２ａとの会話の音声Ｓ３を受信して再生する。
【００２９】
このように、本実施の形態では、インターネットなどのネットワーク上で品物の売買を行う際に（無料で品物をあげたり、もらったりする場合も同様である）、希望者５０２ａの顔の映像Ｖ２は公開しないことで、ネットワークの匿名性を活かしながらも、品物や出品者５０１ａの顔を希望者５０２ｂ〜ｃに公開することで、実際のフリーマーケットのような仕組み（以下、「ネットフリーマーケット」という）をネットワーク上で実現することが可能となる。また、希望者５０２ａは、品物や出品者５０１ａの顔を見たり、声を聴いたりすることができるので、安心して品物を買うことができるし、品物を見たり、出品者５０１に質問をしたりすることができるので、納得のいく買い物ができる。一方、出品者５０１ａも、希望者５０２ａの顔を見たり、声を聴いたりすることができるので、安心して品物を売ることができるし、品物の説明や希望者５０２ａとの会話が希望者５０２ｂ〜ｃに公開されるので、希望者５０２ａとの交渉が終わってから同じ品物について希望者５０２ｂ〜ｃと交渉を行う際に、品物の説明を初めからし直す手間を省くことができる。このように、ネットフリーマーケットを実現することにより、もったいないながらも廃棄される運命にある物品の流通システムをインターネット上に構築し、物品の再利用によって資源の節約と環境負荷の軽減に寄与することができる。また、捨てるのは忍びない物品が再利用されることで、エコライフに貢献できる。
【００３０】
上記品物（対象物品）としては、例えば、ペット、手芸作品、幼児衣料品、幼児用品、学用品など、多種の品物を扱うことが可能である。上記ウェブページには、このような品物に関して、不要品、入手希望品のマッチングを実現するための機能を実装してもよい。また、上記ウェブページでは、物品取引には関与せず、あくまで、当事者同士の交渉によること、物品と情報の紹介のみを行うことが望ましい。また、上記ウェブページでは、個人情報を収集する必要はない。出品者５０１ａ〜ｂは、譲りたい品物を自分専用のウェブページ（店）に写真、動画などでネットフリーマーケット開始前に並べておくことができる。そして、予め決まっているネットフリーマーケットの開始時間になったら、販売を開始する。そして、売り買いを行う際には、リアルタイムに対面で価格交渉や成約などができる。上記ウェブページでは、希望者５０２ａ〜ｃ（バイヤー、顧客）が会員登録をした上で、ネットフリーマーケットを利用できるようにしてもよい。また、上記のようなネットフリーマーケットの機能を提供するＡＳＰ（Ａｐｐｌｉｃａｔｉｏｎ・Ｓｅｒｖｉｃｅ・Ｐｒｏｖｉｄｅｒ）サイトを構築してもよい。
【００３１】
図１において、出品者端末装置１００ａ、ｂは、ストリーミングサーバ装置３００に映像及び音声を転送する第１端末装置の一例である。希望者端末装置２００ａは、出品者端末装置１００ａとＰ２Ｐ接続を確立して映像及び音声を送受信する第２端末装置の一例である。希望者端末装置２００ｂ、ｃも第２端末装置の一例であるが、これらは、特に、ストリーミングサーバ装置３００によりストリーミング配信されている映像及び音声を利用する第３端末装置の一例である。ここでは、希望者端末装置２００ａ〜ｃは、いずれも第２端末装置と第３端末装置との両方の機能を併せ持つものとする。出品者端末装置１００ａ〜ｂ、希望者端末装置２００ａ〜ｃは、いずれも第１端末装置と第２端末装置と第３端末装置との全ての機能を併せ持っていてもよい。
【００３２】
図１において、通信システム５００には出品者端末装置１００が２つ、希望者端末装置２００が３つ含まれているが、当然ながら、出品者端末装置１００及び希望者端末装置２００の数はこれらに限定されるものではない。同様に、ストリーミングサーバ装置３００及びウェブサーバ装置４００の数も１つずつに限定されるものではなく、これらを複数用いて分散システムなどを構築することにより、通信システム５００の信頼性、可用性、利便性などが向上する。
【００３３】
図２は、本実施の形態に係る第１端末装置の構成を示すブロック図である。図１に示した通り、本実施の形態では、出品者端末装置１００は少なくとも第１端末装置の構成を含む。
【００３４】
図２において、出品者端末装置１００は、第１入力部１１１、第１送信部１１２、第１受信部１１３、第１出力部１１４、合成部１１５、転送部１１６を有する。また、出品者端末装置１００は、記憶装置１０１、処理装置１０２、入力装置１０３、出力装置１０４などのハードウェア装置を備える（又はこれらのハードウェア装置が出品者端末装置１００に接続される）。ハードウェア装置は出品者端末装置１００の各部によって利用される。例えば、処理装置１０２は、出品者端末装置１００の各部でデータや情報の演算、加工、読み取り、書き込みなどを行うために利用される。記憶装置１０１は、そのデータや情報を記憶するために利用される。また、入力装置１０３は、そのデータや情報を入力するために、出力装置１０４は、そのデータや情報を出力するために利用される。
【００３５】
第１入力部１１１は、映像及び音声を入力装置１０３により入力する。第１送信部１１２は、第１入力部１１１により入力された映像及び音声を希望者端末装置２００（第２端末装置）に送信する。第１受信部１１３は、希望者端末装置２００（第２端末装置）により送信される映像及び音声を受信する。第１出力部１１４は、第１受信部１１３により受信された映像及び音声を出力装置１０４により出力する。合成部１１５は、第１送信部１１２により送信された音声と第１受信部１１３により受信された音声とを処理装置１０２により合成する。転送部１１６は、第１送信部１１２により送信された映像と合成部１１５により合成された音声とをストリーミングサーバ装置３００に転送する。
【００３６】
第１送信部１１２は、第１入力部１１１により入力された映像及び音声を複数の希望者端末装置２００に送信してもよい。そして、第１受信部１１３は、複数の希望者端末装置２００により送信される映像及び音声を受信してもよい。この場合、第１出力部１１４は、第１受信部１１３により受信された複数の希望者端末装置２００の映像及び音声を出力装置１０４により出力する。合成部１１５は、第１送信部１１２により送信された音声と第１受信部１１３により受信された複数の希望者端末装置２００の音声とを合成する。
【００３７】
図３は、本実施の形態に係る第２端末装置の構成（第３端末装置の構成も含む）を示すブロック図である。図１に示した通り、本実施の形態では、希望者端末装置２００は少なくとも第２端末装置、第３端末装置の構成を含む。
【００３８】
図３において、希望者端末装置２００は、第２入力部２１１、第２送信部２１２、第２受信部２１３、第２出力部２１４、選択部２１５、第３出力部２１６を有する。第２入力部２１１、第２送信部２１２、第２受信部２１３、第２出力部２１４が、第２端末装置に相当する部分であり、選択部２１５、第３出力部２１６が、第３端末装置に相当する部分である。また、希望者端末装置２００は、記憶装置２０１、処理装置２０２、入力装置２０３、出力装置２０４などのハードウェア装置を備える（又はこれらのハードウェア装置が希望者端末装置２００に接続される）。ハードウェア装置は希望者端末装置２００の各部によって利用される。例えば、処理装置２０２は、希望者端末装置２００の各部でデータや情報の演算、加工、読み取り、書き込みなどを行うために利用される。記憶装置２０１は、そのデータや情報を記憶するために利用される。また、入力装置２０３は、そのデータや情報を入力するために、出力装置２０４は、そのデータや情報を出力するために利用される。
【００３９】
第２入力部２１１は、映像及び音声を入力装置２０３により入力する。第２送信部２１２は、第２入力部２１１により入力された映像及び音声を出品者端末装置１００の第１受信部１１３に送信する。第２受信部２１３は、出品者端末装置１００の第１送信部１１２により送信された映像及び音声を受信する。第２出力部２１４は、第２受信部２１３により受信された映像及び音声を出力装置２０４により出力する。また、選択部２１５は、出品者端末装置１００ごとに異なる複数のチャネルのうち、任意のチャネルを入力装置２０３により選択する。第３出力部２１６は、選択部２１５により選択されたチャネル上でストリーミングサーバ装置３００によりストリーミング配信されている映像及び音声を出力装置２０４により出力する。
【００４０】
図４は、ストリーミングサーバ装置３００の構成を示すブロック図である。
【００４１】
図４において、ストリーミングサーバ装置３００は、サーバ受信部３１１、サーバ配信部３１２を有する。また、ストリーミングサーバ装置３００は、記憶装置３０１、処理装置３０２、入力装置３０３、出力装置３０４などのハードウェア装置を備える（又はこれらのハードウェア装置がストリーミングサーバ装置３００に接続される）。ハードウェア装置はストリーミングサーバ装置３００の各部によって利用される。例えば、処理装置３０２は、ストリーミングサーバ装置３００の各部でデータや情報の演算、加工、読み取り、書き込みなどを行うために利用される。記憶装置３０１は、そのデータや情報を記憶するために利用される。また、入力装置３０３は、そのデータや情報を入力するために、出力装置３０４は、そのデータや情報を出力するために利用される。
【００４２】
サーバ受信部３１１は、出品者端末装置１００の転送部１１６により転送された映像及び音声を受信する。サーバ配信部３１２は、サーバ受信部３１１により受信された映像及び音声をストリーミング配信する。サーバ受信部３１１が、複数の出品者端末装置１００の転送部１１６により転送された映像及び音声を受信する場合、サーバ配信部３１２は、サーバ受信部３１１により受信された各出品者端末装置１００の映像及び音声を出品者端末装置１００ごとに異なる複数のチャネル上でストリーミング配信する。
【００４３】
図５は、通信システム５００が備える出品者端末装置１００、希望者端末装置２００、ストリーミングサーバ装置３００の外観の一例を示す図である。
【００４４】
図５において、出品者端末装置１００、希望者端末装置２００、ストリーミングサーバ装置３００は、システムユニット９１０、ＣＲＴ（Ｃａｔｈｏｄｅ・Ｒａｙ・Ｔｕｂｅ）やＬＣＤ（液晶ディスプレイ）の表示画面を有する表示装置９０１、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ装置９０６、スキャナ装置９０７、ヘッドセット９３１、ウェブカメラ９３２などのハードウェア資源を備え、これらはケーブルや信号線で接続されている。システムユニット９１０は、コンピュータであり、ＬＡＮ９４２、ゲートウェイ９４１を介してインターネット９４０に接続されている。
【００４５】
図６は、出品者端末装置１００、希望者端末装置２００、ストリーミングサーバ装置３００のハードウェア資源の一例を示す図である。
【００４６】
図６において、出品者端末装置１００、希望者端末装置２００、ストリーミングサーバ装置３００は、プログラムを実行するＣＰＵ９１１（Ｃｅｎｔｒａｌ・Ｐｒｏｃｅｓｓｉｎｇ・Ｕｎｉｔ）（「中央処理装置」、「演算装置」、「マイクロプロセッサ」、「マイクロコンピュータ」、「プロセッサ」ともいう）を備えている。ＣＰＵ９１１は、処理装置の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０、ヘッドセット９３１、ウェブカメラ９３２と接続され、これらのハードウェアデバイスを制御する。磁気ディスク装置９２０の代わりに、光ディスク装置、メモリカードリーダライタなどの記憶媒体が用いられてもよい。
【００４７】
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。通信ボード９１５、キーボード９０２、スキャナ装置９０７、ＦＤＤ９０４、ヘッドセット９３１、ウェブカメラ９３２などは、入力装置の一例である。また、通信ボード９１５、表示装置９０１、プリンタ装置９０６、ヘッドセット９３１などは、出力装置の一例である。
【００４８】
通信ボード９１５は、ＬＡＮ９４２などに接続されている。通信ボード９１５は、ＬＡＮ９４２に限らず、インターネット９４０、ＩＳＤＮ（Ｉｎｔｅｇｒａｔｅｄ・Ｓｅｒｖｉｃｅｓ・Ｄｉｇｉｔａｌ・Ｎｅｔｗｏｒｋ）などのＷＡＮなどに接続されていても構わない。インターネット９４０あるいはＷＡＮなどに接続されている場合、ゲートウェイ９４１は不要となる。
【００４９】
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」、「〜手段」として説明する機能を実行するプログラムが記憶されている。プログラムは、ＣＰＵ９１１により読み出され実行される。また、ファイル群９２４には、本実施の形態の説明において、「〜データ」、「〜情報」、「〜ＩＤ（ＩＤｅｎｔｉｆｉｅｒ）」、「〜フラグ」、「〜結果」として説明するデータや情報や信号値や変数値やパラメータが、「〜ファイル」や「〜データベース」や「〜テーブル」の各項目として記憶されている。「〜ファイル」や「〜データベース」や「〜テーブル」は、ディスクやメモリなどの記憶媒体に記憶される。ディスクやメモリなどの記憶媒体に記憶されたデータや情報や信号値や変数値やパラメータは、読み書き回路を介してＣＰＵ９１１によりメインメモリやキャッシュメモリに読み出され、抽出・検索・参照・比較・演算・計算・制御・出力・印刷・表示などのＣＰＵ９１１の処理（動作）に用いられる。抽出・検索・参照・比較・演算・計算・制御・出力・印刷・表示などのＣＰＵ９１１の処理中、データや情報や信号値や変数値やパラメータは、メインメモリやキャッシュメモリやバッファメモリに一時的に記憶される。
【００５０】
また、本実施の形態の説明において説明するブロック図やフローチャートの矢印の部分は主としてデータや信号の入出力を示し、データや信号は、ＲＡＭ９１４などのメモリ、ＦＤＤ９０４のフレキシブルディスク（ＦＤ）、ＣＤＤ９０５のコンパクトディスク（ＣＤ）、磁気ディスク装置９２０の磁気ディスク、その他光ディスク、ミニディスク（ＭＤ）、ＤＶＤ（Ｄｉｇｉｔａｌ・Ｖｅｒｓａｔｉｌｅ・Ｄｉｓｃ）などの記録媒体に記録される。また、データや信号は、バス９１２や信号線やケーブルその他の伝送媒体によりオンライン伝送される。
【００５１】
また、本実施の形態の説明において「〜部」、「〜手段」として説明するものは、「〜回路」、「〜装置」、「〜機器」であってもよく、また、「〜ステップ」、「〜工程」、「〜手順」、「〜処理」であってもよい。すなわち、「〜部」、「〜手段」として説明するものは、ＲＯＭ９１３に記憶されたファームウェアで実現されていても構わない。あるいは、ソフトウェアのみ、あるいは、素子・デバイス・基板・配線などのハードウェアのみ、あるいは、ソフトウェアとハードウェアとの組み合わせ、さらには、ファームウェアとの組み合わせで実現されていても構わない。ファームウェアとソフトウェアは、プログラムとして、磁気ディスク、フレキシブルディスク、光ディスク、コンパクトディスク、ミニディスク、ＤＶＤなどの記録媒体に記憶される。このプログラムはＣＰＵ９１１により読み出され、ＣＰＵ９１１により実行される。即ち、プログラムは、本実施の形態の説明で述べる「〜部」、「〜手段」としてコンピュータを機能させるものである。あるいは、本実施の形態の説明で述べる「〜部」、「〜手段」の手順や方法をコンピュータに実行させるものである。
【００５２】
図７及び図８は、本実施の形態における通信システム５００の動作（通信方法）の一例を示すフローチャートである。
【００５３】
図７に示すように、品物の出品者５０１ａとその品物の希望者５０２ａとが互いに交渉する場合に、まず、出品者５０１ａが利用する出品者端末装置１００ａと希望者５０２ａが利用する希望者端末装置２００ａとは、互いに映像及び音声を送受信するために、Ｐ２Ｐ接続を確立する。
【００５４】
出品者端末装置１００ａにおいて、第１入力部１１１は、品物又はその品物の出品者５０１ａの映像Ｖ１をウェブカメラ９３２（入力装置１０３の一例）により入力するとともに、出品者５０１ａの音声Ｓ１をヘッドセット９３１（入力装置１０３の一例）により入力する（ステップＳ１０１：第１入力ステップ）。第１送信部１１２は、第１入力部１１１により入力された映像Ｖ１及び音声Ｓ１を、インターネット９４０を介して希望者端末装置２００ａに送信する（ステップＳ１０２：第１送信ステップ）。希望者端末装置２００ａにおいて、第２受信部２１３は、出品者端末装置１００ａの第１送信部１１２により送信された映像Ｖ１及び音声Ｓ１を受信する（ステップＳ２０１：第２受信ステップ）。第２出力部２１４は、第２受信部２１３により受信された映像Ｖ１を表示装置９０１（出力装置２０４の一例）により出力するとともに、音声Ｓ１をヘッドセット９３１（出力装置２０４の一例）により出力する（ステップＳ２０２：第２出力ステップ）。
【００５５】
また、希望者端末装置２００ａにおいて、第２入力部２１１は、品物の希望者５０２ａの映像Ｖ２をウェブカメラ９３２（入力装置２０３の一例）により入力するとともに、希望者５０２ａの音声Ｓ２をヘッドセット９３１（入力装置２０３の一例）により入力する（ステップＳ２０３：第２入力ステップ）。第２送信部２１２は、第２入力部２１１により入力された映像Ｖ２及び音声Ｓ２を、インターネット９４０を介して出品者端末装置１００ａに送信する（ステップＳ２０４：第２送信ステップ）。出品者端末装置１００ａにおいて、第１受信部１１３は、希望者端末装置２００ａの第２送信部２１２により送信された映像Ｖ２及び音声Ｓ２を受信する（ステップＳ１０３：第１受信ステップ）。第１出力部１１４は、第１受信部１１３により受信された映像Ｖ２を表示装置９０１（出力装置１０４の一例）により出力するとともに、音声Ｓ２をヘッドセット９３１（出力装置１０４の一例）により出力する（ステップＳ１０４：第１出力ステップ）。
【００５６】
出品者端末装置１００ａと希望者端末装置２００ａとは、上記のような動作を繰り返して、例えば、ＩＰ電話（テレビ電話）などによる双方向通信を行う。これにより、品物の出品者５０１ａは、その品物の希望者５０２ａに品物を映像で見せたり、品物を音声（口頭）で説明したりすることができる。また、出品者５０１ａと希望者５０２ａとは、互いの顔や表情を映像で見ながら音声で会話ができるので、リアルタイムに円滑な交渉を行うことができる。
【００５７】
図７では、説明の便宜上、映像Ｖ１及び音声Ｓ１の送受信処理（ステップＳ１０１、Ｓ１０２、Ｓ２０１、Ｓ２０２）の後に映像Ｖ２及び音声Ｓ２の送受信処理（ステップＳ１０３、Ｓ１０４、Ｓ２０３、Ｓ２０４）を示しているが、当然のことながら、これらの処理は同時、あるいは任意の順序で行われるものである。
【００５８】
図８に示すように、出品者端末装置１００ａにおいて、合成部１１５は、第１送信部１１２により送信された出品者５０１ａの音声Ｓ１と第１受信部１１３により受信された希望者５０２ａの音声Ｓ２とをＣＰＵ９１１（処理装置１０２の一例）により合成して、出品者５０１ａと希望者５０２ａとの会話の音声Ｓ３とする（ステップＳ１０５：合成ステップ）。転送部１１６は、第１送信部１１２により送信された品物の映像Ｖ１（出品者５０１ａの映像を含む場合もあるが、ここでは特に品物の映像とする）と合成部１１５により合成された会話の音声Ｓ３とを、インターネット９４０を介してストリーミングサーバ装置３００に転送する（ステップＳ１０６：転送ステップ）。ストリーミングサーバ装置３００において、サーバ受信部３１１は、出品者端末装置１００ａの転送部１１６により転送された映像Ｖ１及び音声Ｓ３を受信する（ステップＳ３０１：サーバ受信ステップ）。サーバ配信部３１２は、サーバ受信部３１１により受信された映像Ｖ１及び音声Ｓ３を、出品者端末装置１００ａ用に設定されたチャネル上でストリーミング配信する（ステップＳ３０２：サーバ配信ステップ）。
【００５９】
品物の出品者５０１ａと交渉中の希望者５０２ａ以外にも、その品物の希望者５０２ｂがいた場合に、まず、希望者５０２ｂが利用する希望者端末装置２００ｂは、ウェブサーバ装置４００が公開するウェブページなどにアクセスして、ストリーミングサーバ装置３００がストリーミング配信中のチャネルの一覧を確認する。
【００６０】
希望者端末装置２００ｂにおいて、選択部２１５は、ストリーミング配信中のチャネルのうち、出品者端末装置１００ａ用に設定されたチャネルをマウス９０３（入力装置２０３の一例）により選択する（ステップＳ２１１：選択ステップ）。第３出力部２１６は、選択部２１５により選択されたチャネル上でストリーミングサーバ装置３００のサーバ配信部３１２によりストリーミング配信されている映像Ｖ１及び音声Ｓ３を受信し、受信した映像Ｖ１を表示装置９０１（出力装置２０４の一例）により出力するとともに、音声Ｓ３をヘッドセット９３１（出力装置２０４の一例）により出力する（ステップＳ２１２：第３出力ステップ）。
【００６１】
希望者５０２ｂのほかにも、出品者５０１ａと交渉中でない希望者５０２ｃがいた場合には、希望者５０２ｃが利用する希望者端末装置２００ｃは、上述した希望者端末装置２００ｂと同様の動作により、出品者端末装置１００ａ用のチャネル上でストリーミング配信されている映像Ｖ１及び音声Ｓ３を利用（受信）する。このような動作により、品物の出品者５０１ａと交渉中でない希望者５０２ｂ、ｃは、その品物を映像で見たり、その品物に関する説明を音声で聴いたりすることができる。また、出品者５０１ａと希望者５０２ａとの会話を聞くことができる。したがって、まさに実際のフリーマーケットと同様に、品物を物色しながら、その品物の出品者５０１ａと希望者５０２ａが交渉を終えるのを待つような仕組みをネットワーク上で実現できる。例えば、希望者５０２ｂは出品者５０１ａに交渉要求を予め送信しておいてもよい。この場合には、出品者５０１ａと希望者５０２ａとの交渉が終了し、出品者５０１ａが希望者５０２ｂの交渉要求を受け付けた場合に、出品者５０１ａが利用する出品者端末装置１００ａと希望者５０２ｂが利用する希望者端末装置２００ｂとは、Ｐ２Ｐ接続を確立する。そして、図７と同様に、出品者端末装置１００ａと希望者端末装置２００ｂとは、例えば、ＩＰ電話（テレビ電話）などによる双方向通信を行う。
【００６２】
実施の形態２．
実施の形態１では、出品者端末装置１００ａと希望者端末装置２００ａとが、映像及び音声を互いに送受信するようにした。本実施の形態では、出品者端末装置１００ａと希望者端末装置２００ａとは、その他のデータも送受信する。
【００６３】
例えば、出品者端末装置１００ａと希望者端末装置２００ａとは、映像及び音声とともに、テキストデータを互いに送受信する。そして、出品者端末装置１００ａが、このテキストデータをウェブサーバ装置４００に転送し、ウェブサーバ装置４００がこのテキストデータをウェブページなどに掲載する。これにより、出品者５０１ａと希望者５０２ａとはチャットをすることができ、希望者５０２ｂ〜ｃはそのチャットの内容を読むことができる。
【００６４】
具体的には、図７のステップＳ１０１において、出品者端末装置１００ａの第１入力部１１１は、テキストデータＴ１（図示せず）をキーボード９０２（入力装置１０３の一例）により入力する。ステップＳ１０２において、第１送信部１１２は、第１入力部１１１により入力されたテキストデータＴ１を、インターネット９４０を介して希望者端末装置２００ａに送信する。ステップＳ２０１において、希望者端末装置２００ａの第２受信部２１３は、出品者端末装置１００ａの第１送信部１１２により送信されたテキストデータＴ１を受信する。ステップＳ２０２において、第２出力部２１４は、第２受信部２１３により受信されたテキストデータＴ１を表示装置９０１により出力する。
【００６５】
また、図７のステップＳ２０３において、希望者端末装置２００ａの第２入力部２１１は、テキストデータＴ２（図示せず）をキーボード９０２（入力装置２０３の一例）により入力する。ステップＳ２０４において、第２送信部２１２は、第２入力部２１１により入力されたテキストデータＴ２を、インターネット９４０を介して出品者端末装置１００ａに送信する。ステップＳ１０３において、出品者端末装置１００ａの第１受信部１１３は、希望者端末装置２００ａの第２送信部２１２により送信されたテキストデータＴ２を受信する。ステップＳ１０４において、第１出力部１１４は、第１受信部１１３により受信されたテキストデータＴ２を表示装置９０１により出力する。
【００６６】
また、図８のステップＳ１０６において、出品者端末装置１００ａの転送部１１６は、第１送信部１１２により送信されたテキストデータＴ１と第１受信部１１３により受信されたテキストデータＴ２とを、インターネット９４０を介してウェブサーバ装置４００に転送する。ウェブサーバ装置４００は、出品者端末装置１００ａの転送部１１６により転送されたテキストデータＴ１及びＴ２を受信し、受信したテキストデータＴ１及びＴ２をウェブページに掲載する。希望者端末装置２００ｂ〜ｃにおいて、第３出力部２１６は、ウェブサーバ装置４００によりウェブページに掲載されたテキストデータＴ１及びＴ２を表示装置９０１により出力する。
【００６７】
実施の形態３．
実施の形態１では、出品者端末装置１００ａと希望者端末装置２００ａとが、映像及び音声を互いに送受信し、出品者端末装置１００ａが、希望者端末装置２００ａから受信した映像はストリーミングサーバ装置３００に転送しないようにした。本実施の形態では、出品者端末装置１００ａと希望者端末装置２００ａとは、映像及び音声の少なくともいずれかのデータを互いに送受信する。そして、出品者端末装置１００ａは、そのデータを全てストリーミングサーバ装置３００に転送する。
【００６８】
例えば、出品者端末装置１００ａと希望者端末装置２００ａとは、音声のみを互いに送受信する。そして、出品者端末装置１００ａは、その音声をストリーミングサーバ装置３００に転送する。この場合、図７及び図８に示した通信システム５００の動作は、映像の送受信に係る部分以外は、本実施の形態においても同様である。
【００６９】
また、例えば、出品者端末装置１００ａと希望者端末装置２００ａとが映像のみを互いに送受信する場合、上記の動作において、音声を映像に置き換えればよい。この場合、図８のステップＳ１０５において、出品者端末装置１００ａの合成部１１５は、第１送信部１１２により送信された出品者５０１ａの映像Ｖ１と第１受信部１１３により受信された希望者５０２ａの映像Ｖ２とをＣＰＵ９１１により合成するが、例えば、映像Ｖ１と映像Ｖ２とを単に縦あるいは横に並べた映像Ｖ３（図示せず）とすることができる。
【図面の簡単な説明】
【００７０】
【図１】実施の形態１における通信システムの構成を示す図である。
【図２】実施の形態１に係る第１端末装置の構成を示すブロック図である。
【図３】実施の形態１に係る第２端末装置／第３端末装置の構成を示すブロック図である。
【図４】実施の形態１に係るストリーミングサーバ装置の構成を示すブロック図である。
【図５】実施の形態１における通信システムが備える装置の外観の一例を示す図である。
【図６】実施の形態１における通信システムが備える装置のハードウェア資源の一例を示す図である。
【図７】実施の形態１における通信システムの動作の一例を示すフローチャートである。
【図８】実施の形態１における通信システムの動作の一例を示すフローチャートである。
【符号の説明】
【００７１】
１００  出品者端末装置、１０１  記憶装置、１０２  処理装置、１０３  入力装置、１０４  出力装置、１１１  第１入力部、１１２  第１送信部、１１３  第１受信部、１１４  第１出力部、１１５  合成部、１１６  転送部、２００  希望者端末装置、２０１  記憶装置、２０２  処理装置、２０３  入力装置、２０４  出力装置、２１１  第２入力部、２１２  第２送信部、２１３  第２受信部、２１４  第２出力部、２１５  選択部、２１６  第３出力部、３００  ストリーミングサーバ装置、３０１  記憶装置、３０２  処理装置、３０３  入力装置、３０４  出力装置、３１１  サーバ受信部、３１２  サーバ配信部、４００  ウェブサーバ装置、５００  通信システム、５０１  出品者、５０２  希望者、６００  センター、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  オペレーティングシステム、９２２  ウィンドウシステム、９２３  プログラム群、９２４  ファイル群、９３１  ヘッドセット、９３２  ウェブカメラ、９４０  インターネット、９４１  ゲートウェイ、９４２  ＬＡＮ。
【図１】
2008033651.tif 000003
【図２】
2008033651.tif 000004
【図３】
2008033651.tif 000005
【図４】
2008033651.tif 000006
【図５】
2008033651.tif 000007
【図６】
2008033651.tif 000008
【図７】
2008033651.tif 000009
【図８】
2008033651.tif 000010